(57)【特許請求の範囲】
【請求項１】
軒瓦本体に頭、尻、桟および衿が備えられるとともに、尻側の切り込みを有する軒瓦において、
尻側の切り込みに肉薄の被覆片が軒瓦本体の表面寄りに設けられ、
該被覆片の外縁が尻側の切り込み内において、尻側寄りの桟縁を延長させた桟側外縁部と、桟側寄りの尻縁を延長させた尻側外縁部と、前記した桟側外縁部と尻側外縁部との間の突き合わせ外縁部とからなる少なくとも２枚の軒瓦と、
桟瓦本体に頭、尻、桟および衿が備えられるとともに、頭側の切り込みを有する桟瓦において、
頭側の切り込みに肉薄の差込片が桟瓦本体の裏面寄りに設けられ、
該差込片の外縁が頭側の切り込み内において、衿側寄りの頭縁を延長させた頭側外縁部と、頭側寄りの衿縁を延長させた衿側外縁部と、前記した頭側外縁部と衿側外縁部との間の突き合わせ外縁部とからなる少なくとも２枚の桟瓦とからなり、
第１の軒瓦の衿側に、第２の軒瓦の桟側が重ねられ、第１の軒瓦の尻側に第１の桟瓦の頭側が重ねられるとともに、第２の軒瓦の被覆片の下方に第１の桟瓦の差込片が差し込まれ、第２の軒瓦の尻側に第２の桟瓦の頭側が重ねられ、第１の桟瓦の衿側に第２の桟瓦の桟側が重ねられてなることを特徴とする軒瓦と桟瓦の組み合わせによる瓦屋根。
【請求項２】
軒瓦本体に頭、尻、桟および衿が備えられるとともに、尻側の切り込みを有する軒瓦において、
尻側の切り込みに肉薄の被覆片が軒瓦本体の表面寄りに設けられ、
該被覆片の外縁が尻側の切り込み内において、尻側寄りの桟縁を延長させた桟側外縁部と、桟側寄りの尻縁を延長させた尻側外縁部と、前記した桟側外縁部と尻側外縁部との間の突き合わせ外縁部とからなる少なくとも２枚の軒瓦と、
桟瓦本体に頭、尻、桟および衿が備えられるとともに、頭側の切り込みを有する桟瓦において、
頭側の切り込みに肉薄の差込片が桟瓦本体の裏面寄りに設けられ、
該差込片の外縁が頭側の切り込み内において、頭側寄りの衿縁を延長させた衿側外縁部と、衿側寄りの頭縁端との間の突き合わせ外縁部とからなる少なくとも２枚の桟瓦とからなり、
第１の軒瓦の衿側に、第２の軒瓦の桟側が重ねられ、第１の軒瓦の尻側に第１の桟瓦の頭側が重ねられるとともに、第２の軒瓦の被覆片の下方に第１の桟瓦の差込片が差し込まれ、第２の軒瓦の尻側に第２の桟瓦の頭側が重ねられ、第１の桟瓦の衿側に第２の桟瓦の桟側が重ねられてなることを特徴とする軒瓦と桟瓦の組み合わせによる瓦屋根。
【請求項３】
軒瓦本体に頭、尻、桟および衿が備えられるとともに、尻側の切り込みを有する軒瓦において、
尻側の切り込みに肉薄の被覆片が軒瓦本体の表面寄りに設けられ、
該被覆片の外縁が尻側の切り込み内において、桟側寄りの尻縁を延長させた尻側外縁部と、尻側寄りの桟縁端との間の突き合わせ外縁部とからなる少なくとも２枚の軒瓦と、
桟瓦本体に頭、尻、桟および衿が備えられるとともに、頭側の切り込みを有する桟瓦において、
頭側の切り込みに肉薄の差込片が桟瓦本体の裏面寄りに設けられ、
該差込片の外縁が頭側の切り込み内において、衿側寄りの頭縁を延長させた頭側外縁部と、頭側寄りの衿縁を延長させた衿側外縁部と、前記した頭側外縁部と衿側外縁部との間の突き合わせ外縁部とからなる少なくとも２枚の桟瓦とからなり、
第１の軒瓦の衿側に、第２の軒瓦の桟側が重ねられ、第１の軒瓦の尻側に第１の桟瓦の頭側が重ねられるとともに、第２の軒瓦の被覆片の下方に第１の桟瓦の差込片が差し込まれ、第２の軒瓦の尻側に第２の桟瓦の頭側が重ねられ、第１の桟瓦の衿側に第２の桟瓦の桟側が重ねられてなることを特徴とする軒瓦と桟瓦の組み合わせによる瓦屋根。
【請求項４】
軒瓦本体に頭、尻、桟および衿が備えられるとともに、尻側の切り込みを有する軒瓦において、
尻側の切り込みに肉薄の被覆片が軒瓦本体の表面寄りに設けられ、
該被覆片の外縁が尻側の切り込み内において、桟側寄りの尻縁を延長させた尻側外縁部と、尻側寄りの桟縁端との間の突き合わせ外縁部とからなる少なくとも２枚の軒瓦と、
桟瓦本体に頭、尻、桟および衿が備えられるとともに、頭側の切り込みを有する桟瓦において、
頭側の切り込みに肉薄の差込片が桟瓦本体の裏面寄りに設けられ、
該差込片の外縁が頭側の切り込み内において、頭側寄りの衿縁を延長させた衿側外縁部と、衿側寄りの頭縁端との間の突き合わせ外縁部とからなる少なくとも２枚の桟瓦とからなり、
第１の軒瓦の衿側に、第２の軒瓦の桟側が重ねられ、第１の軒瓦の尻側に第１の桟瓦の頭側が重ねられるとともに、第２の軒瓦の被覆片の下方に第１の桟瓦の差込片が差し込まれ、第２の軒瓦の尻側に第２の桟瓦の頭側が重ねられ、第１の桟瓦の衿側に第２の桟瓦の桟側が重ねられてなることを特徴とする軒瓦と桟瓦の組み合わせによる瓦屋根。
【請求項５】
桟瓦の差込片と桟瓦本体の境界を形成する内縁が軒瓦の被覆片の外縁にほぼ対応して設けられてなることを特徴とする請求項１、２、３または４記載の軒瓦と桟瓦の組み合わせによる瓦屋根。
【請求項６】
軒瓦の被覆片と軒瓦本体の境界を形成する内縁が桟瓦の差込片の外縁にほぼ対応して設けられてなることを特徴とする請求項１、２、３または４記載の軒瓦と桟瓦の組み合わせによる瓦屋根。
【発明の詳細な説明】
【０００１】
【発明の属する技術分野】
この発明は、万十軒瓦、一文字軒瓦や鎌軒瓦などの軒瓦と桟瓦の組み合わせによる瓦屋根に関する。
さらに詳しくいえば、瓦屋根における軒瓦と桟瓦の１枚当たりの有効活用面積の増加を図り、併せて雨水の漏水の抑制を可能とする瓦屋根に関する。
【０００２】
【従来の技術】
瓦屋根に使用される数多い種類の瓦の中でも桟瓦はとりわけ使用数が多く、瓦屋根の軒を形成する軒瓦は桟瓦に次いで使用数が多い。
したがって、瓦屋根の総重量は桟瓦と軒瓦の組み合わせ状態に大きく影響を受けることはいうまでもない。
【０００３】
瓦屋根の機能を損なうことなく、瓦屋根の総重量を軽減することは予てこの業界に往時から要請されているものの、伝統的な桟瓦と軒瓦の組み合わせによる瓦屋根の構造については未だ問題が少なくない。
【０００４】
また、桟瓦と軒瓦の組み合わせによって瓦屋根を設ける場合、桟瓦の頭側の切り込みと軒瓦の尻側の切り込みが嵌合させることは広く知られているが、とりわけ風雨の激しい場合にその嵌合部から雨水が浸入し、両瓦の下方に一般的に敷設されるいわゆる野地材などを損傷させることが少なくないという問題があった。
【０００５】
この種の一般的な従来例を図１９ないし図２２を参照して具体的に説明する。和形軒瓦と和形桟瓦（日本工業規格Ａ５２０８〔平成８年１１月改正前〕では「軒がわら」、「桟がわら」と称されているが、この明細書では以下単に「軒瓦」、「桟瓦」と称し、断りのない限り従来例の「軒瓦」の符号を「Ｍ」、「桟瓦」の符号を「Ｗ」と表示する。）には、山と谷が設けられ、断面が略波形状に形成されている。
【０００６】
そして、軒瓦Ｍと桟瓦Ｗは共に山側の端寄りが桟、谷側の端寄りが衿または差込み、また屋根に葺いた際の軒側に位置する端寄りが頭、棟側の端寄りが尻と称されているから、以下これらの用語に基づいて従来例の軒瓦Ｍ、桟瓦Ｗのほか、この発明の軒瓦１０、桟瓦１００についても共通の用語として説明する。
【０００７】
また、この明細書において、用語「頭縁」、「尻縁」、「桟縁」および「衿縁」とは、それぞれの端を観念するものであり、断りのない限り前記した観念で使用する。
【０００８】
軒瓦Ｍを屋根に葺く際に、隣接する桟瓦Ｗの頭側の切り込みＸと相互に連結するため、軒瓦Ｍの尻と桟とによって形成される隅部に方形状の尻側の切り込みＺが形成されることは知られるとおりである（図１９および図２０を参照）。
【０００９】
そして、軒瓦Ｍの尻側に切り込みＺが設けられることにより、尻側の切り込みＺの内側には軒瓦Ｍの長さ方向（頭側から尻側に至る方向）に縦辺Ｚｖが、幅方向（桟側から衿側に至る方向）に幅辺Ｚｈが形成される（図１９を参照）。
【００１０】
一方、桟瓦Ｗの頭側に切り込みＸが設けられることにより、頭側の切り込みＸの内側には、桟瓦Ｗの長さ方向（頭側から尻側に至る方向）に縦辺Ｘｖが、幅方向（桟側から衿側に至る方向）に幅辺Ｘｈが形成される（図２０を参照）。
【００１１】
また、桟瓦Ｗの尻側に切り込みＹが設けられ、頭側と同様に尻側の切り込みＹの内側には、桟瓦Ｗの長さ方向に縦辺Ｙｖが、幅方向に幅辺Ｙｈが形成される（図２０を参照）。
【００１２】
そして、これらの軒瓦Ｍは図２１に示されるように、少なくとも２枚の軒瓦Ｍａ、Ｍｂの尻側に葺かれた２枚の桟瓦Ｗａ、Ｗｂにより、軒を含む最小単位の瓦屋根が構成されることも知られるとおりである（図２１を参照）。
【００１３】
そこで、２枚の軒瓦Ｍａ、Ｍｂと２枚の桟瓦Ｗａ、Ｗｂの組み合わせによる軒を含む最小単位の瓦屋根の構造について説明すると、第１の軒瓦Ｍａの衿側に、第２の軒瓦Ｍｂの桟側が重ねられ、第１の軒瓦Ｍａの尻側に第１の桟瓦Ｗａの頭側が重ねられるとともに、第２の軒瓦Ｍｂの尻側の切り込みＺｂと第１の桟瓦Ｗａの頭側の切り込みＸａが両切り込みＺｂ、Ｘａ間に間隙を生ずることのないように互い違いに嵌合され、第２の桟瓦Ｗｂの桟側が第１の桟瓦Ｗａの衿側に重ねられるとともに、第２の桟瓦Ｗｂの頭側が第２の軒瓦Ｍｂの尻側に重ねられている（図２１を参照）。
【００１４】
かくして、第１の軒瓦Ｍａの衿側と第２の軒瓦Ｍｂの桟側の重なりにより、桟と衿とによる重ね部Ｓｍ（頭側から尻側に至る方向）が形成される。
この重ね部Ｓｍの幅は前記した軒瓦Ｍの切り込みＺの幅辺Ｚｈや桟瓦Ｗの頭側の切り込みＸの幅辺Ｘｈの幅に相当し、また重ね部Ｓｍの長さは軒瓦Ｍの長さから前記した桟瓦Ｗの頭側の切り込みＸの縦辺Ｘｖを差し引いた長さに相当し、第１の桟瓦Ｗａと第２の桟瓦Ｗｂとの桟と衿の重なりによっても同じように別の重ね部Ｓｗが形成される（図２１を参照）。
【００１５】
他方、第１の軒瓦Ｍａの尻側と第１の桟瓦Ｗａの頭側の重なりにより、頭と尻による重ね部Ｓｎ（桟側から衿側に至る方向）が形成される。
この重ね部Ｓｎの幅は軒瓦Ｍおよび桟瓦Ｗの幅と同一であり、また重ね部Ｓｎの長さは両者の切り込みＺ、Ｘが互いに噛み合うことにより形成されるから、桟瓦Ｗの縦辺Ｘｖと軒瓦Ｍの縦辺Ｚｖを加算した長さに相当し、この重ね部Ｓｎの面積は、軒瓦Ｍまたは桟瓦Ｗの幅と縦辺ＸｖとＳｖを加算した長さに基づいて算出される（図２１を参照）。
前記した重ね部Ｓｎは第２の軒瓦Ｍｂと第２の桟瓦Ｗｂの重なりによっても共通に形成される（図２１を参照）。
【００１６】
この場合、第１の桟瓦Ｗａの頭側の切り込みＸａと第２の軒瓦Ｍｂの尻側の切り込みＺｂは互いに対称に形成されているから、両者の切り込みＸａ、Ｚｂが互いに嵌合されることにより、両瓦Ｗａ、Ｍｂが妄動しないようにされている。
【００１７】
この点についてさらに詳しく説明すると、第１の桟瓦Ｗａの頭側の切り込みＸａの幅辺Ｘｈと第２の軒瓦Ｍｂの尻側の切り込みＺｂの幅片Ｚｈが互いに当接される。
【００１８】
したがって、第１の桟瓦Ｗａの頭縁は、第２の軒瓦Ｍｂの尻側の切り込みＺｂの位置よりも第１の軒瓦Ｍａの頭側に臨んでいる。
そして、第１の桟瓦Ｗａの頭縁と第２の軒瓦Ｍｂの尻側の切り込みＺｂの幅辺Ｚｈとの距離は第１の桟瓦Ｗａの頭側の切り込みＸａの縦辺Ｘｖの長さにほぼ等しく設定される。
【００１９】
一方、第２の軒瓦Ｍｂの尻縁は、第１の桟瓦Ｗａの頭側の切り込みＸａの位置よりも尻側に臨んでいる。
そして、第２の軒瓦Ｍｂの尻縁と第１の桟瓦Ｗａの頭側の切り込みＸａの幅辺Ｘｈとの距離は第２の軒瓦Ｍｂの尻側の切り込みＺｂの縦辺Ｚｖの長さにほぼ等しく設定される。
【００２０】
このことは、両切り込みＸ、Ｚが互い違いに嵌合されることに負うものであり、その結果、前記した重ね部Ｓｎの頭側から尻側に至る距離は、両瓦の縦辺ＸｖあるいはＺｖの長さの２倍になる結果を生じている。
【００２１】
このようにして屋根葺きされた各２枚の軒瓦Ｍａ、Ｍｂおよび桟瓦Ｗａ、Ｗｂが、軒を備えた瓦屋根を構成する最小単位となり、この最小単位の瓦屋根に軒瓦Ｍや桟瓦Ｗが連続的に設けられることにより家屋などの瓦屋根が設けられている。
【００２２】
したがって、第１の軒瓦Ｍａの尻側に第１の桟瓦Ｗａの頭側が重ねられるとともに、第２の軒瓦Ｍｂの尻側の切り込みＺｂと第１の桟瓦Ｗａの頭側の切り込みＸａが噛み合うように嵌合され、また、第１の桟瓦Ｗａの衿側に第２の桟瓦Ｗｂの桟側を重ねることにより、桟瓦Ｗの妄動を抑制できるとともに、両切り込みＺ、Ｘに間隙を生ずることが少ないので雨水の浸入を抑制できるようにしている点で所期の目的が達成されている。
【００２３】
しかし、これらの重ね部Ｓｍ、Ｓｎ、Ｓｗの面積が小さいほど軒瓦Ｍや桟瓦Ｗの１枚当たりの有効活用面積の増加を図ることができるのにもかかわらず、３種類の重ね部Ｓｍ、Ｓｎ、Ｗｗにより、重ねられる面積の占める割合が比較的大きくなることは止むを得ないものとされ、軒瓦Ｍや桟瓦Ｗの１枚当たりの有効活用面積に制約を受けているのが実情である。
【００２４】
その上、第１の桟瓦Ｗａの頭側の切り込みＸａと第２の軒瓦Ｍｂの尻側の切り込みＺｂの嵌合部上には、第２の桟瓦Ｗｂが重ねられ、かつ第１の軒瓦Ｍａの尻と衿の隅部が嵌合部の下方に存在しているものの、両切り込みＸ、Ｚを形成する幅辺Ｘｈ、Ｙｈおよび縦辺Ｘｖ、Ｙｖが互いに当接されるに止まるから、これらの当接部によって生ずる間隙は一般的に小さいとはいえ依然として残存することを回避できないため、風雨が激しい場合には、とりわけ、その残存する間隙を通じて雨水が第１の軒瓦Ｍａの尻と衿の隅部寄りを越えて第２の桟瓦Ｗｂの下方に敷設された野地材Ｎ側へ浸入するおそれが少なくなかった（図２２を参照）。
【００２５】
上記の問題点についてさらに言及すると、第１の軒瓦Ｍａと第２の軒瓦Ｍｂの頭側を整然と統一させ、同様に第１の桟瓦Ｗａと第２の桟瓦Ｗｂの頭側を揃えることが瓦屋根の機能上要請されるが、この場合、第１の桟瓦Ｗａの頭側の切り込みＸａと第２の軒瓦Ｍｂの尻側の切り込みＺｂを嵌合させ、第２の軒瓦Ｍｂの尻側に第２の桟瓦Ｗｂの頭側を重ねるとともに第１の桟瓦Ｗａの衿側に第２の桟瓦Ｗｂの桟側を重ねなければならない。
【００２６】
したがって、必然的に第１の軒瓦Ｍａと第１の桟瓦Ｗａの尻と頭による重ね部Ｓｎの長さ（頭側から尻側に向かう方向の長さ）は、前記したとおり第１の桟瓦Ｗａの頭側の切り込みＸａの縦辺Ｘｖと第２の軒瓦Ｍｂの尻側の切り込みＺｂの縦辺Ｚｖを加算した長さにほぼ等しくなる。
【００２７】
このことは、各２枚の軒瓦Ｍおよび桟瓦Ｗの全面積に対して頭と尻による重ね部Ｓｎの占める面積が増大することになり、軒瓦Ｍおよび桟瓦Ｗのそれぞれにおいて、桟と衿による重ね部Ｓｍ、Ｓｗの面積と相待って単位面積当たりに必要な桟瓦Ｗの枚数（たとえば３．３平方メ−トル当たりの葺き枚数）が増加する結果、家屋に対する荷重が大きくなり、瓦屋根の荷重に抗する家屋の構造が必要になるという問題を生じていた。
【００２８】
ところで、実公平７−１４５１９号公報の第７図には、軒瓦と桟瓦の組み合わせによる瓦屋根ではないものの、桟瓦の組み合わせによる瓦屋根が記載されており、頭側の切り込みの裏面寄りに肉薄の略三角形の段落部８が設けられ、他方、尻側の切り込みの表面寄りに前記した段落部８に対応した薄肉の略三角部分５が形成された桟瓦が記載され、隣接する桟瓦の前記した三角部分５の裏面に段落部８が差し込まれることにより、切り込みの嵌合部分における雨水の浸入の抑制を図るようにしている。
【００２９】
しかし、この例では、切り込みの嵌合部分における雨水の浸入の抑制を図ることができるとしても、軒瓦と桟瓦の組み合わせによる瓦屋根の軒瓦と桟瓦の有効活用面積の増加を図り、もって瓦屋根の重量軽減を図ることについては一切言及されていない。
【００３０】
【発明が解決しようとする課題】
この発明が解決しようとする課題は、従来の軒瓦と桟瓦の組み合わせによる瓦屋根にあっては、屋根葺きにおいて軒瓦と桟瓦の１枚当たりの有効活用面積に制約を与え、その活用面積が減少する結果、瓦屋根の重量増加を回避できないほか、切り込み付近の嵌合部からの雨水の浸入を防止できない点である。
【００３１】
この発明の目的は、軒瓦と桟瓦の組み合わせによる瓦屋根の有効活用面積の増加を図り、瓦屋根の重量軽減に寄与することと併せて切り込み付近からの雨水の浸入を防止することにある。
【００３８】
【課題を解決するための手段および作用効果】
この発明の請求項１記載の軒瓦と桟瓦の組み合わせによる瓦屋根は、
軒瓦本体に頭、尻、桟および衿が備えられるとともに、尻側の切り込みを有する軒瓦において、尻側の切り込みに肉薄の被覆片が軒瓦本体の表面寄りに設けられ、該被覆片の外縁が尻側の切り込み内において、尻側寄りの桟縁を延長させた桟側外縁部と、桟側寄りの尻縁を延長させた尻側外縁部と、前記した桟側外縁部と尻側外縁部との間の突き合わせ外縁部とからなる少なくとも２枚の軒瓦と、桟瓦本体に頭、尻、桟および衿が備えられるとともに、頭側の切り込みを有する桟瓦において、頭側の切り込みに肉薄の差込片が桟瓦本体の裏面寄りに設けられ、該差込片の外縁が頭側の切り込み内において、衿側寄りの頭縁を延長させた頭側外縁部と、頭側寄りの衿縁を延長させた衿側外縁部と、前記した頭側外縁部と衿側外縁部との間の突き合わせ外縁部とからなる少なくとも２枚の桟瓦とからなり、第１の軒瓦の衿側に、第２の軒瓦の桟側が重ねられ、第１の軒瓦の尻側に第１の桟瓦の頭側が重ねられるとともに、第２の軒瓦の被覆片の下方に第１の桟瓦の差込片が差し込まれ、第２の軒瓦の尻側に第２の桟瓦の頭側が重ねられ、第１の桟瓦の衿側に第２の桟瓦の桟側が重ねられてなることを特徴とするものである。
【００３９】
ここで、軒瓦の被覆片の外縁が尻側の切り込み内において、尻側寄りの桟縁を延長させた桟側外縁部と、桟側寄りの尻縁を延長させた尻側外縁部と、前記した桟側外縁部と尻側外縁部との間の突き合わせ外縁部とからなるとは、桟縁の尻側を延長させた桟側外縁部と、尻側の桟側を延長させた尻側外縁部の交点により切込みの輪郭に沿ってその全面積を占めるように略方形を呈したものを、この発明はこれらの両外縁部を結ぶようにして形成されたもので、少なくとも前記した交点部分のないものである。
【００４０】
したがって、この請求項１記載の軒瓦と桟瓦の組み合わせによる屋根瓦は、
前記のように構成されているから、軒瓦と桟瓦を少なくとも２枚毎を組み合わせた瓦屋根を最小の瓦屋根としたとき、軒瓦と桟瓦のそれぞれの桟と衿によって形成される重ね部（桟側から衿側に至る方向）の面積については従来例と変化しない。しかし、従来例のように両瓦の切り込みを互い違いに噛み合うように嵌合させることなく、単に切り込み内に存在する桟瓦の差込片を軒瓦の被覆片の下方へ差し込むことにより両瓦を組み合わせることができるから、軒瓦の尻と桟瓦の頭によって形成される重ね部（頭側から尻側に至る方向）の面積は、両切り込みの面積を従来例と同一面積に設定した場合でも、その重ね部の頭側から尻側に至る両瓦の切り込みの縦辺の距離は半減できるので、その結果、前記した重ね部の面積を半減できる（図５を参照）。
よって、軒瓦と桟瓦の有効活用面積の増加により瓦屋根の単位面積に必要な桟瓦数の低減に寄与でき、また軒瓦の被覆片の下方に桟瓦の差込片を差し込むことにより、この軒瓦の被覆片付近に雨水が浸入しても、桟瓦の差込片で受け止めることができるから、第１の軒瓦の頭側に向けて浸入した雨水を誘導することができるので、雨水が第１の軒瓦の衿や尻を越えて野地材側に浸入しないようにできる。
さらに、軒瓦の被覆片と桟瓦の差込片の外縁がそれぞれの切り込みの範囲内に形成されているから、被覆片と差込片の隅部に交点のない瓦となり、軒瓦、桟瓦の生産工程において被覆片と差込片の外縁に、成形から焼成に至る搬送中に発生し勝ちな物理的な損傷や、乾燥工程や焼成工程の熱的操作を要因とする変形を抑制することができる軒瓦と桟瓦を屋根瓦に採用できる有利性がある。
【００４１】
この発明の請求項２記載の軒瓦と桟瓦の組み合わせによる瓦屋根は、
軒瓦本体に頭、尻、桟および衿が備えられるとともに、尻側の切り込みを有する軒瓦において、尻側の切り込みに肉薄の被覆片が軒瓦本体の表面寄りに設けられ、該被覆片の外縁が尻側の切り込み内において、尻側寄りの桟縁を延長させた桟側外縁部と、桟側寄りの尻縁を延長させた尻側外縁部と、前記した桟側外縁部と尻側外縁部との間の突き合わせ外縁部とからなる少なくとも２枚の軒瓦と、桟瓦本体に頭、尻、桟および衿が備えられるとともに、頭側の切り込みを有する桟瓦において、頭側の切り込みに肉薄の差込片が桟瓦本体の裏面寄りに設けられ、該差込片の外縁が頭側の切り込み内において、頭側寄りの衿縁を延長させた衿側外縁部と、衿側寄りの頭縁端との間の突き合わせ外縁部とからなる少なくとも２枚の桟瓦とからなり、第１の軒瓦の衿側に、第２の軒瓦の桟側が重ねられ、第１の軒瓦の尻側に第１の桟瓦の頭側が重ねられるとともに、第２の軒瓦の被覆片の下方に第１の桟瓦の差込片が差し込まれ、第２の軒瓦の尻側に第２の桟瓦の頭側が重ねられ、第１の桟瓦の衿側に第２の桟瓦の桟側が重ねられてなることを特徴とするものである。
【００４２】
ここで、桟瓦の差込片の外縁は、請求項１記載の桟瓦の外縁では、衿寄りの頭縁が延長されることにより頭側外縁部が形成されたものが、この発明ではその延長部分のないものである。
【００４３】
したがって、請求項２記載の発明の瓦屋根は、請求項１記載の発明の奏する作用効果のほか、両瓦のうち、軒瓦については、請求項１記載の発明の作用効果を奏する。
【００４４】
そして、桟瓦については、頭縁に衿側寄りに延長部分がないので、頭縁の衿側寄りについて、一層成形から焼成に至る搬送中に発生し勝ちな物理的な損傷や、乾燥工程や焼成工程の熱的操作を要因とする変形を抑制することができる桟瓦を瓦屋根に採用できる有利性がある。
【００４５】
この発明の請求項３記載の軒瓦と桟瓦の組み合わせによる瓦屋根は、
軒瓦本体に頭、尻、桟および衿が備えられるとともに、尻側の切り込みを有する軒瓦において、尻側の切り込みに肉薄の被覆片が軒瓦本体の表面寄りに設けられ、該被覆片の外縁が尻側の切り込み内において、桟側寄りの尻縁を延長させた尻側外縁部と、尻側寄りの桟縁端との間の突き合わせ外縁部とからなる少なくとも２枚の軒瓦と、桟瓦本体に頭、尻、桟および衿が備えられるとともに、頭側の切り込みを有する桟瓦において、頭側の切り込みに肉薄の差込片が桟瓦本体の裏面寄りに設けられ、該差込片の外縁が頭側の切り込み内において、衿側寄りの頭縁を延長させた頭側外縁部と、頭側寄りの衿縁を延長させた衿側外縁部と、前記した頭側外縁部と衿側外縁部との間の突き合わせ外縁部とからなる少なくとも２枚の桟瓦とからなり、第１の軒瓦の衿側に、第２の軒瓦の桟側が重ねられ、第１の軒瓦の尻側に第１の桟瓦の頭側が重ねられるとともに、第２の軒瓦の被覆片の下方に第１の桟瓦の差込片が差し込まれ、第２の軒瓦の尻側に第２の桟瓦の頭側が重ねられ、第１の桟瓦の衿側に第２の桟瓦の桟側が重ねられてなることを特徴とするものである。
【００４６】
ここで、軒瓦の被覆片の外縁は、請求項１または２記載の外縁のうち、尻寄りの桟縁が延長させた桟側外縁部が形成されたものが、この発明ではこの延長部分のないものである。
【００４７】
したがって、請求項３記載の発明の瓦屋根は、請求項１記載の発明の奏する作用効果のほか、両瓦のうち、桟瓦については、請求項１記載の発明の作用効果を奏する。
【００４８】
そして、軒瓦については、桟縁に尻側寄りに延長部分がないので、桟縁の尻側寄りについて、一層成形から焼成に至る搬送中に発生し勝ちな物理的な損傷や、乾燥工程や焼成工程の熱的操作を要因とする変形を抑制することができる軒瓦を瓦屋根に採用できる有利性がある。。
【００４９】
この発明の請求項４記載の軒瓦と桟瓦の組み合わせによる瓦屋根は、軒瓦本体に頭、尻、桟および衿が備えられるとともに、尻側の切り込みを有する軒瓦において、尻側の切り込みに肉薄の被覆片が軒瓦本体の表面寄りに設けられ、該被覆片の外縁が尻側の切り込み内において、桟側寄りの尻縁を延長させた尻側外縁部と、尻側寄りの桟縁端との間の突き合わせ外縁部とからなる少なくとも２枚の軒瓦と、桟瓦本体に頭、尻、桟および衿が備えられるともに、頭側の切り込みを有する桟瓦において、頭側の切り込みに肉薄の差込片が桟瓦本体の裏面寄りに設けられ、該差込片の外縁が頭側の切り込み内において、頭側寄りの衿縁を延長させた衿側外縁部と、衿側寄りの頭縁端との間の突き合わせ外縁部とからなる少なくとも２枚の桟瓦とからなり、第１の軒瓦の衿側に、第２の軒瓦の桟側が重ねられ、第１の軒瓦の尻側に第１の桟瓦の頭側が重ねられるとともに、第２の軒瓦の被覆片の下方に第１の桟瓦の差込片が差し込まれ、第２の軒瓦の尻側に第２の桟瓦の頭側が重ねられ、第１の桟瓦の衿側に第２の桟瓦の桟側が重ねられてなることを特徴とするものである。
【００５０】
この発明は、請求項３記載の軒瓦と請求項２記載の桟瓦の組み合わせによる瓦屋根である。
【００５１】
したがって、請求項１記載の発明の作用効果を奏することのほか、請求項３および請求項２に記載された発明の軒瓦と桟瓦の有利性を奏する。
【００５２】
この発明の請求項５記載の軒瓦と桟瓦の組み合わせによる瓦屋根は、
請求項１、２、３または４記載の軒瓦と桟瓦の組み合わせによる瓦屋根において、桟瓦の差込片と桟瓦本体の境界を形成する内縁が軒瓦の被覆片の外縁にほぼ対応して設けられてなることを特徴とするものである。
【００５３】
したがって、軒瓦と桟瓦の組み合わせ時に軒瓦の尻側の切り込みに設けられた被覆片の下方へ桟瓦の差込片を差し込むことにより、桟瓦の内縁と軒瓦の外縁が互いに間隙を少なくして向き合う結果、軒瓦の外縁と桟瓦の内縁が妄動しない瓦屋根が得られる。
【００５４】
この発明の請求項６載の軒瓦と桟瓦の組み合わせによる瓦屋根は、
請求項１、２、３または４記載の軒瓦と桟瓦の組み合わせによる瓦屋根において、軒瓦の被覆片と軒瓦本体の境界を形成する内縁が桟瓦の差込片の外縁にほぼ対応して設けられてなることを特徴とするものである。
【００５５】
したがって、軒瓦と桟瓦の組み合わせ時に軒瓦の尻側の切り込みに設けられた被覆片の下方へ桟瓦の差込片を差し込むことにより、軒瓦の内縁と桟瓦の外縁が互いに間隙を少なくして向き合う結果、桟瓦の外縁と軒瓦の内縁が妄動しない瓦屋根が得られる。
【００５６】
【発明の実施の形態】
図１はこの発明の実施の形態に係る軒瓦の表面斜視図、図２はその裏面斜視図、図３は実施の形態に係る桟瓦の表面斜視図、図４はその裏面斜視図、図５は２枚毎の軒瓦と桟瓦との組み合わせ状態を示す平面図、図６は実施例その１の軒瓦の被覆片と桟瓦の差込片の概略を示す要部拡大平面図、図７と図８はその２の軒瓦の被覆片と桟瓦の差込片の概略を示す要部拡大平面図、図９と図１０はその３の軒瓦の被覆片と桟瓦の差込片の概略を示す要部拡大平面図、図１１と図１２はその４の軒瓦の被覆片と桟瓦の差込片の概略を示す要部拡大平面図、図１３と図１４はその５の軒瓦の被覆片と桟瓦の差込片の概略を示す要部拡大平面図、図１５は図７における被覆片付近の要部拡大平面図、図１６は図５における矢印Ｐ−Ｐ線の縦断面図、図１７は図５における矢印Ｑ−Ｑ線の縦断面図、図１８は表１における実施の形態の軒瓦の各寸法を示す参考図、図１９は従来例の軒瓦の表面斜視図、図２０は従来例の桟瓦の表面斜視図、図２１は従来例の各２枚の軒瓦および桟瓦による瓦屋根の組み合わせ構造を示す平面図、図２２は図２１における矢印Ｖ−Ｖ線の縦断面図である。
【００５７】
この発明の実施の形態に係る軒瓦１０と併せてこの軒瓦１０に対応する桟瓦１００を説明し、両瓦１０、１００の組み合わせによる瓦屋根を説明する（図１ないし図１８を参照）。
【００５８】
軒瓦本体３０に頭、尻、桟および衿が備えられるとともに、尻側の切り込み５０を有する軒瓦１０において、尻側の切り込み５０に肉薄の被覆片４０が軒瓦本体３０の表面寄りに設けられた少なくとも２枚の軒瓦１０が設けられている（図１および図２を参照）。
【００５９】
他方、軒瓦１０に対応する桟瓦１００として、桟瓦本体１３０に頭、尻、桟および衿が備えられるとともに、頭側の切り込み１５０を有する桟瓦１００において、頭側の切り込み１５０に肉薄の差込片１２８が桟瓦本体１３０の裏面寄りに設けられた少なくとも２枚の桟瓦が設けられている（図３および図４を参照）。
【００６０】
前記した構成による軒瓦１０と桟瓦１００が少なくともそれぞれ２枚毎設けられ、第１の軒瓦１０ａの衿側に、第２の軒瓦１０ｂの桟側が重ねられ、第１の軒瓦１０ａの尻側に第１の桟瓦１００ａの頭側が重ねられるとともに、第２の軒瓦１０ｂの被覆片４０の下方に第１の桟瓦１００ａの差込片１２８が差し込まれ、第２の軒瓦１０ｂの尻側に第２の桟瓦１００ｂの頭側が重ねられ、第１の桟瓦１００ａの衿側に第２の桟瓦１００ｂの桟側が重ねらことにより、軒瓦と桟瓦の組み合わせによる瓦屋根が得られる（図５を参照）。
【００６１】
また、前記の構成のほか、桟瓦１００の差込片１２８と桟瓦本体１３０の境界を形成する内縁１４４が軒瓦１０の被覆片４０の外縁４２にほぼ対応して設けられるとともに、軒瓦１０の被覆片４０と軒瓦本体３０の境界を形成する内縁４６が桟瓦１００の差込片１２８の外縁１３２にほぼ対応して設けられてなることが好ましい（図６、図７、図９、図１１、図１３を参照）。
【００６２】
この場合、桟瓦１００の内縁１４４が軒瓦１０の外縁４２に対応すること、さらに軒瓦１０の内縁４６が桟瓦１００の外縁１３２に対応することを説明したが、両者の内縁１４４、４６と両者の外縁４２、１３２がともに対応することなく、桟瓦１００の内縁１４４が軒瓦１０の外縁４２に対応しているか、あるいは軒瓦１０の内縁４６が桟瓦１００の外縁１３２に対応していることによってもこの発明の目的を達成できる。
【００６３】
【実施例】
この発明の５種類の実施例に係る軒瓦１０と桟瓦１００のそれぞれの瓦について共通する基本的構成を図面を参照して説明する。
まず、軒瓦１０について説明する。
少なくとも軒瓦本体３０に頭、尻、桟および衿が備えられるとともに、尻側に切り込み５０を有し（図２を参照）、知られているように山１４と谷１６が設けられている（図１を参照）。
【００６４】
そして、軒瓦本体３０の頭縁の大部分には、裏面に向けて一定の傾斜角度を保っていわゆる垂れ３１と称されているものが備えられ、垂れ３１の桟寄りに円形の万十３３と称されているものが備えられている（図１および図２を参照）。
この実施例の軒瓦１０は、いわゆる万十軒瓦と称されているものである。
【００６５】
軒瓦本体３０の表面の尻縁に水返しのための突条１８が衿から山１４にかけて設けられており、この尻縁の突条１８には外側を開放した凹部２０が２個設けられている（図１を参照）。
【００６６】
また、軒瓦本体３０の表面の尻縁寄りに尻縁に平行な別の突条１９が設けられており、少なくとも尻縁と該突条１９の間隔が尻側の切り込み５０の長さより小さくなるように設定されている（図５を参照）。
【００６７】
したがって、この間隔の設定により軒瓦１０の尻側に後述する桟瓦１００の頭側が重ねられることにより、突条１９は重ねた桟瓦１００の頭側に覆われて外観上現れない（図５を参照）。
【００６８】
そして、尻縁の突条１８および突条１９により、尻側に向けて浸入する雨水は確実に堰き止められ、これらの突条１８、１９を越えて野地材側に達しない。
【００６９】
一方、軒瓦本体３０の表面の衿縁に尻から頭に向けて水返しのために突条２２が設けられている（図１を参照）。
また、前記した突条２２と平行に別の突条２３が軒瓦本体３０の表面の衿縁寄りに設けられており、両突条２２、２３の間隔は桟瓦１００の頭側の切り込み１５０の幅にほぼ等しく設定されている（図５を参照）。
衿縁寄りの前記した別の突条２３は水返しの目的のほかに、軒瓦１０の衿側に重ねられる別の軒瓦１０の桟縁の位置決めと幅方向の妄動の抑制を図ることを意図している。
【００７０】
さらに、軒瓦１０の桟の裏面には頭から尻に向けて突条２６が設けられている（図２を参照）。
また、尻縁寄りの裏面に一対の尻剣２７、２７が設けられている。
【００７１】
さらに、引続き、この発明の軒瓦１０の特徴について説明すると、略方形の尻側の切り込み５０に肉薄であって、かつ被覆片４０が軒瓦本体３０の表面寄りに設けられている（図２を参照）。
この被覆片４０の肉厚は一般的には軒瓦本体３０の肉厚の２分の１程度が適当であり、被覆片４０の表面は軒瓦本体３０の表面と同一面を形成している。
【００７２】
したがって、詳細については追って説明するが、被覆片４０の下方に桟瓦１００の差込片１２８が差し込まれることにより、両者の肉厚は軒瓦本体３０や桟瓦本体１３０の肉厚とほぼ等しくなり、両者１２８、４０の裏面と表面は、それぞれ軒瓦本体３０の表裏と同一面をほぼ形成するから違和感を生ずることがない（図１６および図１７を参照）。
【００７３】
以上に説明した軒瓦１０の構成は、以下に説明する５種類の軒瓦１０の実施例について共通な構成である。
他方、５種類の実施例について相違する点については以下に説明するが、説明の便宜上その説明に先立って５種類の桟瓦１００に共通する基本的構成を予め明らかにする。
【００７４】
そこで桟瓦１００について説明する。
少なくとも桟瓦本体１３０に頭、尻、桟および衿が備えられるとともに、頭側に切り込み１５０を有し、軒瓦１０と同様に山１１４と谷１１６が設けられている（図３を参照）。
【００７５】
桟瓦本体１３０の表面の尻縁に水返しのための突条１１８が衿から山１１４にかけて設けられており、この尻縁の突条１１８には外側を開放した凹部１２０が２個設けられている（図３を参照）。
【００７６】
また、桟瓦本体１３０の表面の尻縁寄りに尻縁に平行な別の突条１１９が設けられており、少なくとも尻縁と該突条１１９の間隔が軒瓦１０に設けられた尻側の切込み５０の長さより小さくなるように設定されている（図５を参照）。
したがって、この間隔の設定により図示を省略したが、桟瓦１００の尻側に別の桟瓦１００の頭側が重ねられることにより、突条１１９は重ねた桟瓦１００の頭側に覆われて外観上現れない（図５を参照）。
【００７７】
一方、桟瓦本体１３０の表面の衿縁に尻から頭に向けて水返しのために突条１２２が設けられている（図３を参照）。
また、前記した突条１２２と平行に別の突条１２３が桟瓦本体１３０の表面の衿縁寄りに設けられており、両突条１２２、突条１２３の間隔は桟瓦１００の頭側の切り込み１５０の幅にほぼ等しく設定されている（図５を参照）。
衿縁寄りの前記した別の突条１２３は水返しの目的のほかに、桟瓦１００の衿側に重ねられる別の桟瓦１００の桟縁の位置決めと幅方向の妄動の抑制を図ることを意図している。
【００７８】
さらに、桟瓦１００の桟の裏面には頭から尻に向けて突条１２６が設けられている（図４を参照）。
また、尻縁寄りの裏面に一対の尻剣１２７、１２７が設けられている。
そして、頭縁には突条１２４とその内側の中心部分に平行に比較的短い別の突条１２５が設けられている。
【００７９】
さらに、引続き、この発明の桟瓦１００の特徴について説明すると、略方形の頭側の切り込み１５０に肉薄であって、かつ差込片１２８が桟瓦本体１３０の裏面寄りに設けられている（図３を参照）。
この差込片１２８の肉厚は一般的には桟瓦本体１３０の肉厚の２分の１程度が適当であり、差込片１２８の表面は桟瓦本体１３０の表面と同一面を形成している。
【００８０】
したがって、前記したように軒瓦１０の被覆片４０の下方に桟瓦１００の差込片１２８が差し込まれる結果、両者の肉厚は、桟瓦本体１３０や軒瓦本体３０の肉厚とほぼ等しくなるため、両者１２８、４０の裏面と表面は、それぞれ軒瓦本体３０や桟瓦本体１３０やの表裏と同一面を形成するため違和感を生ずることがない（図１６および図１７を参照）。
【００８１】
桟瓦１００については、知られるように多数が瓦屋根に連続的に採用されるから、連続的に桟瓦１００を組み合わせできるようにするため、尻側の切り込み１６０に前記した軒瓦１０における被覆片４０と同一の構成による被覆片１４０をそっくり設けることが基本的に必要である（図５を参照）。
【００８２】
次に、５種類の実施例の軒瓦１０と桟瓦１００について相違する点をそれぞれ、前記した両瓦１０、１００に対応させつつ図面を参照して説明する。
実施例のその１について（図６を参照）、
尻側の切り込み５０（従来例と同様に略方形であることを前提とするものである、以下の実施例についても同じである）にその切り込み５０の輪郭にほぼ沿わせた略方形の肉薄の被覆片４０が軒瓦本体３０の表面寄りに設けられた少なくとも２枚の軒瓦１０が設けられている。
【００８３】
他方、頭側の切り込みを有する桟瓦１００において、頭側の切り込み１５０（従来例と同様に略方形であることを前提とするものである、以下の実施例についても同じである）にその切り込み１５０の輪郭に沿わせた略方形の肉薄の差込片１２８が桟瓦本体１３０の裏面寄りに設けられた少なくとも２枚の桟瓦１００が設けられている。
【００８４】
そして、桟瓦１００の差込片１２８と桟瓦本体１３０の境界を形成する内縁１４４が軒瓦１０の被覆片４０の外縁４２にほぼ対応して設けられるとともに、軒瓦１０の被覆片４０と軒瓦本体３０の境界を形成する内縁４６が桟瓦１００の差込片１２８の外縁１３２にほぼ対応して設けられている（図６を参照）。
【００８５】
軒瓦１０の被覆片４０の外縁４２についてさらに説明すると、尻縁を桟側に向けて延長させた尻側外縁部４２ａと、桟縁を尻側に向けて延長させた桟側外縁部４２ｂとから構成されている。
したがって、この発明では切り込み５０の形態は方形を前提とするものであるから、一般的に前記した外縁４２の形態により、被覆片４０の形態は略方形のものとして現れる。
【００８６】
これに対して、桟瓦１００の差込片１２８は、被覆片４０に対応する形態に構成されている。
桟瓦１００の差込片１２８の外縁１３２についてさらに説明すると、頭縁を衿側に向けて延長させた頭側外縁部１３２ａと、衿縁を頭側に向けて延長させた衿側外縁部１３２ｂとから構成されている。
したがって、この発明では切り込み１５０の形態は方形を前提とするものであるから、一般的に前記した外縁１３２の形態により、差込片１２８の形態は略方形のものとして現れる。
【００８７】
そこで、前記した軒瓦１０と桟瓦１００の少なくとも２枚が設けられ、第１の軒瓦１０ａの衿側に、第２の軒瓦１０ｂの桟側が重ねられ、第１の軒瓦１０ａの尻側に第１の桟瓦１００ａの頭側が重ねられるとともに、第２の軒瓦１０ｂの被覆片４０の下方に第１の桟瓦１００ａの差込片１２８が差し込まれ、第２の軒瓦１０ｂの尻側に第２の桟瓦１００ｂの頭側が重ねられ、第１の桟瓦１００ａの衿側に第２の桟瓦１００ｂの桟側が重ねられ、さらに、第２の軒瓦１０ｂの被覆片４０の外縁４２が第１の桟瓦１００ａの内縁１４４に、第１の桟瓦１００ａの差込片１２８の外縁１３２が第２の軒瓦１０ｂの内縁４６に向けられることにより瓦屋根が構成されている（図５を参照）。
【００８８】
実施例のその２について（図７および図８を参照）、
軒瓦１０の被覆片４０の外縁４２は、尻側の切り込み５０内において、尻縁を桟側に向けて延長させた尻側外縁部４２ａと、桟縁を尻側に向けて延長させた桟側外縁部４２ｂと、前記した尻側外縁部４２ａと桟側外縁部４２ｂとの間の突き合わせ外縁部４２ｃとから構成されている。
【００８９】
つまり、この被覆片４０は、尻側の切り込み５０の範囲内に存在し、切り込み５０範囲外に存在しないことを意味する。
【００９０】
この被覆片４０の外縁４２は、尻側外縁部４２ａ、桟側外縁部４２ｂおよび突き合わせ外縁部４２ｃによって形成され、突き合わせ外縁部４２ｃは図７に示される場合、直線を描いているが、もとより直線に制限される趣旨ではなく、切り込み５０の範囲内にあればよく、円弧、波形あるいは不定形を描くことは自由である（図２および図７を参照）。
【００９１】
そして、被覆片４０と軒瓦本体３０の境界を形成する内縁４６は後述する差込片１２８の外縁１３２にほぼ対応して設けらることが好ましい（図７を参照）。
【００９２】
したがって、被覆片４０の内縁４６は軒瓦１０に対応する桟瓦１００の差込片１２８の外縁１３２を構成する頭側外縁部１３２ａ、衿側外縁部１３２ｂおよび突き合わせ外縁部１３２ｃにほぼ対応した横内縁部４６ａ、縦内縁部４６ｂおよび突き合わせ内縁部４６ｃから構成されている（図７を参照）。
【００９３】
この内縁４６の突き合わせ内縁部４６ｃは、軒瓦１０の被覆片４０の下方に桟瓦１００の差込片１２８を差し込んだときに、被覆片４０の突き合わせ内縁部４６ｃに桟瓦１００の差込片１２８の突き合わせ外縁部１３２ｃが当接することや、また差込片１２８の突き合わせ内縁部１４４ｃに軒瓦１０の被覆片４０の突き合わせ外縁部４２ｃが当接することあるいは、これらの突き合わせ外縁部１３２ｃ、４２ｃが差込片１２８、被覆片４０に位置する条件を満たせば、その形状は問わない（図７を参照）。
【００９４】
他方、桟瓦１００の内縁１４４は、軒瓦１０の外縁４２に対応させるため、その形態に倣うように設けられており、衿縁から桟側に向かう横内縁部１４４ａ、頭縁から尻側に向けられた縦内縁部１４４ｂおよび両者１４４ａ、１４４ｂを結ぶ突き合わせ内縁部１４４ｃから構成されている（図７を参照）。
【００９５】
差込片１２８の外縁１３２を構成する頭側外縁部１３２ａおよび衿側外縁部１３２ｂを得るため、頭側の切り込み１５０内において衿縁寄りの頭縁を、また頭縁寄りの衿縁をそれぞれ延長させている理由は次のとおりである。
【００９６】
差込片１２８の内縁１４４と被覆片４０の外縁４２が当接されるものの、依然として両縁１４４、４２間に間隙が生ずることは否定できない。
したがって、雨水はこの間隙を通じて差込片１２８の表面に浸入することも否定できない。
【００９７】
この場合、差込片１２８は、被覆片４０の下方に位置することにより浸入する雨水の受け皿の役割も果たすことになるから、本来的にはその面積は広いことが所望されるものの、頭側の切り込み１５０全体を占めるような大きさにすれば（方形状にする例）、先に説明したとおり、桟瓦１００の生産工程上において差込片１２８が損傷を受けるなどのおそれがある。
【００９８】
他方、頭側外縁部１３２ａと衿側外縁部１３２ｂを省略した場合、差込片１２８の外縁１３２が頭縁と衿縁を直接結んだものであって、つまり差込片１２８が略三角形を呈することになるが、このようにすれば、衿縁寄りの頭縁と桟縁寄りの尻縁には雨水の受け皿となる差込片１２８の一部が存在しないことになり、とくに衿縁に向けて浸入してくる雨水に対する受皿となる部分がないため、野地材側に達するおそれがあることよ負っている。
ところで、図８に示される例は、桟瓦１００の差込片１２８の外縁１３２が軒瓦１０の内縁４６に、軒瓦１０の外縁４２ｂが桟瓦１００の内縁１４４に対応しない点においてのみ図７に示される例と相違している例である。
【００９９】
なお、この実施例においても、少なくとも２枚の軒瓦１０と２枚の桟瓦１００により、組み合わせて瓦屋根を得る構成は、以下の実施例とともに前記した実施例のその１の構成とそっくり同じであるからその説明を省略し、前記の説明を援用する。
【０１００】
実施例のその３について（図９および図１０を参照）、
図９に示される軒瓦１０の被覆片４０の外縁４２の構成は、そっくり先に説明した実施例その２の外縁４２の構成と同じである。
相違する点は、内縁４６の構成が縦内縁部４６ｂと外縁４２の突き合わせ外縁部４２ｃに対して平行でない突き合わせ内縁部４６ｃからなるものである（図９を参照）。
【０１０１】
他方、桟瓦１００の差込片１２８の外縁１３２が頭側の切り込み１５０内において、頭側寄りの衿縁を延長させた衿側外縁部１３２ｂと、衿側寄りの頭縁端１３２ｄとの間の突き合わせ外縁部１３２ｃから構成されており、軒瓦１０の前記した内縁４６に対応している（図９を参照）。
【０１０２】
また、桟瓦１００の内縁１４４は、軒瓦１０の被覆片４０の外縁４２に対応するように、横内縁部１４４ａ、縦内縁部１４４ｂおよび突き合わせ内縁部１４４ｃから構成されている（図９を参照）。
【０１０３】
図１０に示される例の軒瓦１０の構成は、先に説明した実施例その２の図８に示される例の構成と同一である（図８を参照）。
そして、桟瓦１００の外縁１３２の構成は先に説明したとおり頭側の切込み
１５０内において頭側寄りの衿縁を延長させた衿側外縁部１３２ｂと衿側寄りの頭側端１３２ｄとの間の突き合わせ外縁部１３２ｃから構成されている（図９を参照）。
図１０に示される例は、桟瓦１００の差込片１２８の外縁１３２が軒瓦１０の内縁４６に、軒瓦１０の外縁４２が桟瓦１００の内縁１４４に対応しない点においてのみ図９に示される例と相違している例である。
【０１０４】
実施例のその４について（図１１および図１２を参照）、
軒瓦１０の被覆片４０の外縁４２が尻側の切り込み５０内において、桟側寄りの尻縁を延長させた尻側外縁部４２ａと、尻側寄りの桟縁端４２ｄとの間の突き合わせ外縁部４２ｃとからなるものである。
【０１０５】
桟瓦１００の差込片１２８の外縁１３２が頭側の切り込み１５０内において、衿側寄りの頭縁を延長させた頭側外縁部１３２ａと、頭側寄りの衿縁を延長させた衿側外縁部１３２ｂと、前記した頭側外縁部１３２ａと衿側外縁部１３２ｂとの間の突き合わせ外縁部１３２ｃとからなるものである。
【０１０６】
そして、これらの例のうち、図１１に示される例の桟瓦１００の差込片１２８の外縁１３２は軒瓦１０の内縁４６にほぼ対応して設けられており、また、軒瓦１０の被覆片４０の外縁４２は、桟瓦１００の内縁１４４にほぼ対応して設けられている。
【０１０７】
軒瓦１０の内縁４６は、縦内縁部４６ｂ、横内縁部４６ａおよびこれらの間の突き合わせ内縁部４６ｃから構成され、桟瓦１００の外縁１３２に対応している。
他方、桟瓦１００の内縁１４４は、横内縁部１４４ａと軒瓦１０の外縁４２を構成する突き合わせ外縁部４２ｃに対応する突き合わせ内縁部１４４ｃから構成され、軒瓦１０の外縁４２に対応している。
【０１０８】
そして、これらの２枚毎の軒瓦１０と桟瓦１００がそれぞれ、先に説明した実施例と同様に組み合わせられることにより瓦屋根が設けられる（図５および図１２を参照）。
【０１０９】
図１２に示される例は、桟瓦１００の差込片１２８の外縁１３２が軒瓦１０の内縁４６に、軒瓦１０の外縁４２が桟瓦１００の内縁１４４に対応しない点においてのみ図１１に示される例と相違している例である。
【０１１０】
実施例のその５について（図１３および図１４を参照）、
軒瓦１０の被覆片４０の外縁４２が尻側の切り込み５０内において、桟側寄りの尻縁を延長させた尻側外縁部４２ａと尻側寄りの桟縁端４２ｄとの間の突き合わせ外縁部４２ｃとからなるものである。
【０１１１】
桟瓦１００の差込片１２８の外縁１３２が頭側の切り込み１５０内において、頭側寄りの衿縁を延長させた衿側外縁部１３２ｂと、衿側寄りの頭縁端１３２ｄとの間の突き合わせ外縁部１３２ｃとからなるものである。
【０１１２】
そして、これらの例のうち、図１３に示される例の桟瓦１００の差込片１２８の外縁１３２は軒瓦１０の内縁４６にほぼ対応して設けられており、また、軒瓦１０の被覆片４０の外縁４２は、桟瓦１００の内縁１４４にほぼ対応して設けられている。
【０１１３】
軒瓦１０の内縁４６は、縦内縁部４６ｂと桟瓦１００の外縁１３２を構成する突き合わせ外縁部１３２ｃに対応する突き合わせ内縁部４６ｃとから構成され、桟瓦１００の外縁１３２に対応している。
他方、桟瓦１００の内縁１４４は、横内縁部１４４ａと軒瓦１０の外縁４２を構成する突き合わせ外縁部４２ｃに対応する突き合わせ内縁部１４４ｃから構成され、軒瓦１０の外縁４２に対応している。
そして、これらの２枚毎の軒瓦１０と桟瓦１５０がそれぞれ、先に説明した実施の形態と同様に組み合わせられたものである（図５、図１３および図１４を参照）。
【０１１４】
図１４に示される例は、桟瓦１００の差込片１２８の外縁１３２が軒瓦１０の内縁４６に、軒瓦１０の外縁４２が桟瓦１００の内縁１４４に対応しない点においてのみ図１３に示される例と相違している例である。
【０１１５】
５種類の実施例は以上の記載のとおりであるが、軒瓦１０と軒瓦１０に対応する桟瓦１００の組み合わせによる瓦屋根についてさらにその詳細を説明すると、一般的に多数の軒瓦１０と桟瓦１００によって構成されるものの、その基本は以下に説明するように各２枚の軒瓦１０と桟瓦により、従来例と基本的に同じ組み合わせ手段によって行われる。
【０１１６】
そこで、少なくとも２枚の軒瓦１０ａ、１０ｂと桟瓦１００ａ、１００ｂを用意し、図５を参照して明らかなように、第１の軒瓦１０ａの衿側上に第２の軒瓦１０ｂの桟側を重ねることにより、軒瓦１０の桟と衿とによる重ね部４８が形成される。
【０１１７】
この発明は、前記した桟と衿とによる重ね部４８（弯曲された桟の裏面と衿の表面による重合による組合わせ）の面積を減少させることは軒瓦１０や桟瓦１００の形態から困難性が高いため、頭と尻とによる重ね部４９の面積を減少させることにより、軒瓦１０と桟瓦１００の有効活用面積の増加を図ろうとするものであり、したがって、桟と衿とによる重ね部４８の幅は、従来例の重ね部Ｓｍの幅と同じである。
【０１１８】
よってこの発明は、桟と衿とによる重ね部４８の面積を減少させることより、軒瓦１０や桟瓦１００の瓦屋根の有効活用面積を広くしようとするものではなく、桟と衿とによる重ね部４８の活用については従来例と比較して変化しないことを念のため明らかにする。
【０１１９】
第１の軒瓦１０ａの尻側に第１の桟瓦１００ａの頭側が重ねられるとともに、第２の軒瓦１０ｂの被覆片４０の下方に第１の桟瓦１００ａの差込片１２８が差し込まれ、第２の軒瓦１０ｂの尻側に第２の桟瓦１００ｂの頭側が重ねられ、第１の桟瓦１００ａの衿側に第２の桟瓦１００ｂの桟側を重ねる。
【０１２０】
よって、第１の軒瓦１０ａと第１の桟瓦１００ａの頭と尻による重なりにより、重ね部４９が形成される。
そして、この重ね部４９の長さは、桟瓦１００の差込片１２８あるいは軒瓦１０の被覆片４０の長さにほぼ相当している。
【０１２１】
ところで、従来例の桟瓦Ｗにおいては、第１の桟瓦Ｗａの頭側が第２の軒瓦Ｍｂの尻側の切り込みＺｂより第２の軒瓦Ｍｂの頭側に臨み、第１の桟瓦Ｗａの頭側の切り込みＸａと第２の軒瓦Ｗｂの尻側の切り込みＺｂが互い違いに嵌合され、第１の軒瓦Ｍａの尻側と第１の桟瓦Ｗａの頭側により重ね部Ｓｎが形成され、この重ね部Ｓｎの長さは、桟瓦Ｗの切り込みＸａの縦辺Ｘｖと軒瓦Ｍの切り込みＺｂの縦辺Ｚｖを加算した長さに相当することを先に説明した。
【０１２２】
これに対して、この発明の実施例における桟瓦１００の差込片１２８および軒瓦１０の被覆片４０の長さおよび幅をそれぞれ従来例の桟瓦Ｗや軒瓦Ｍの切り込みＸ、Ｚの縦辺Ｘｖ、Ｚｖと同じ寸法にすれば、頭と尻とによる重ね部４９の長さが従来例の桟瓦Ｗと軒瓦Ｍと比較して半減することは明らかであり、結局、頭と尻とによる重ね部４９の面積が２分の１に減少することになる。
【０１２３】
また、第２の軒瓦１０ｂの尻側と第２の桟瓦１００ｂの頭側により、別の重ね部４９が形成されるが、この重ね部４９の長さもまた前記した第１の軒瓦１０ａと第１の桟瓦１００ａによって構成される重ね部４９の長さに等しく形成される。
【０１２４】
因みに、この発明の実施例による桟瓦１００と従来品の桟瓦Ｗの形状寸法、そして軒瓦１０と桟瓦１００を用いた単位面積（３．３平方メートル）当たりの葺き枚数を対比すると「表１」に示すとおりである。
【０１２５】
【表１】
0003572564.tif 000002
【０１２６】
「表１」を参照すると明らかなとおり、一般的に広く採用される桟瓦としてたとえば、寸法区分により５３Ａ版と称される従来の桟瓦Ｗを使用し従来の軒瓦Ｍと組み合わせた場合では、単位面積当たり５３枚を必要としたものが、この発明の実施例の軒瓦１０とこの軒瓦１０に対応する桟瓦１００を用いた場合では、軒瓦１０と桟瓦１００合計枚数が４６枚で足り、１３％以上その必要枚数を減ずることができたことが示されている。
さらに、桟瓦１００と軒瓦１０の大きさが小さくなるにしたがって、一層、単位面積当たりの桟瓦１００の必要枚数を従来例と比較して減少することも明らかになったことを示している。
【０１２７】
また、前記したように２枚の軒瓦１０ａ、１０ｂと２枚の桟瓦１００ａ、１００ｂが組み合わせられることにより、第１の桟瓦１００ａの差込片１２８と第２の軒瓦１０ｂの被覆片４０との間に浸入経路５２が階段状に形成される（図１６および図１７を参照）。
【０１２８】
そして、この浸入経路５２は、第２の軒瓦１０ｂおよび第１の桟瓦１００ａ、の表面から第１の桟瓦１００ａの差込片１２８の表面に向かう第１の垂直経路５４、第１の垂直経路５４から引き続いて軒側に向かうとともに垂直経路５４に対してほぼ直角方向に設けられた水平経路５６、水平経路５６に引続きしかも直角方向であって第１の軒瓦１０ａに向かう第２の垂直経路５８から構成される（図１６を参照）。
【０１２９】
したがって、強風などに伴って第１の垂直経路５４に浸入した雨水は、水平経路５６および第２の垂直経路５８へ誘導され、雨水が第１の軒瓦１０ａ側に達するまでにその勢いが著しく減じられるので、雨水が逆流して野地材側へ浸入させないように配慮されている。
【０１３０】
さらに、桟瓦１００の差込片１２８には衿側外縁部１３２ｂが設けられ、軒瓦１０の被覆片４０には桟側外縁部４２ａが設けられているので、差込片１２８を被覆片４０の下方に差し込むことにより、桟瓦１００の切り込み１５０および軒瓦１０の切り込み５０内には雨水を受ける二層の受皿となる部分が形成される。
【０１３１】
したがって、これらの切り込み５０、１５０に浸入した雨水は、第２の軒瓦１０ｂの被覆片４０によって第１の軒瓦１０ａの谷側へ確実に誘導され、仮に被覆片４０の外縁４２側から被覆片４０の下方に雨水が浸入しても、被覆片４０の下方には第１の桟瓦１００ａの差込片１２８が存在し、かつ衿側外縁部１３２ｂが設けられているので、切り込み５０、１５０を越えて第２の軒瓦１０ｂの衿側に浸入することがなく、第１の軒瓦１０ａの谷側に確実に誘導されるので、野地材側を損傷させることがない。
【０１３２】
このことは、従来の桟瓦Ｗにおいて第２の軒瓦Ｍｂの切り込みＺｂの縦辺Ｚｖと第１の桟瓦Ｗａの頭側の衿縁との当接部分に達する雨水が縦辺Ｘｖと衿縁の当接部分に入り込み、第１の軒瓦Ｍａの衿縁を通じて野地材Ｎ側に至り、野地材Ｎ側を損傷させるという問題を解消したことにほかならない。
【図面の簡単な説明】
【図１】この発明の実施の形態に係る軒瓦の表面斜視図である。
【図２】この発明の実施の形態に係る軒瓦の裏面斜視図である。
【図３】この発明の実施の形態に係る桟瓦の表面斜視図である。
【図４】この発明の実施の形態に係る桟瓦の裏面斜視図である。
【図５】２枚毎の軒瓦と桟瓦との組み合わせ状態を示す平面図である。
【図６】実施例その１の軒瓦の被覆片と桟瓦の差込片の概略を示す要部拡大平面図であるである。
【図７】実施例その２の軒瓦の被覆片と桟瓦の差込片の概略を示す要部拡大平面図である。
【図８】実施例その２の別の軒瓦の被覆片と桟瓦の差込片の概略を示す要部拡大平面図図である。
【図９】実施例その３の軒瓦の被覆片と桟瓦の差込片の概略を示す要部拡大平面図である。
【図１０】実施例その３の別の軒瓦の被覆片と桟瓦の差込片の概略を示す要部拡大平面図である。
【図１１】実施例その４の軒瓦の被覆片と桟瓦の差込片の概略を示す要部拡大平面図である。
【図１２】実施例その４の別の軒瓦の被覆片と桟瓦の差込片の概略を示す要部拡大平面図である。
【図１３】実施例その５の軒瓦の被覆片と桟瓦の差込片の概略を示す要部拡大平面図である。
【図１４】実施例その５の別の軒瓦の被覆片と桟瓦の差込片の概略を示す要部拡大平面図である。
【図１５】図７における被覆片付近の要部拡大平面図である。
【図１６】図５における矢印Ｐ−Ｐ線の縦断面図である。
【図１７】図５における矢印Ｑ−Ｑ線の縦断面図である。
【図１８】表１における実施の形態の桟瓦の各寸法を示す参考図である。
【図１９】従来例の軒瓦の表面斜視図である。
【図２０】従来例の桟瓦の表面斜視図である。
【図２１】従来例の各２枚の軒瓦および桟瓦による瓦屋根の組み合わせ構造を示す平面図である。
【図２２】図２１における矢印Ｖ−Ｖ線の縦断面図である。
【符号の説明】
１０      軒瓦
３０      軒瓦本体
４０      被覆片
４２      被覆片の外縁
４２ａ    桟側外縁部
４２ｂ    尻側外縁部
４２ｃ    突き合わせ外縁部
４２ｄ    桟縁端
４６      軒瓦の内縁
５０      軒瓦の切り込み
１００    桟瓦
１２８    差込片
１３０    桟瓦本体
１３２    差込片の外縁
１３２ａ  頭側外縁部
１３２ｂ  衿側外縁部
１３２ｃ  突き合わせ外縁部
１３２ｄ  頭縁端
１４４    桟瓦の内縁
１５０    桟瓦の切り込み
【図１】
0003572564.tif 000003
【図２】
0003572564.tif 000004
【図３】
0003572564.tif 000005
【図４】
0003572564.tif 000006
【図５】
0003572564.tif 000007
【図６】
0003572564.tif 000008
【図７】
0003572564.tif 000009
【図８】
0003572564.tif 000010
【図９】
0003572564.tif 000011
【図１０】
0003572564.tif 000012
【図１１】
0003572564.tif 000013
【図１２】
0003572564.tif 000014
【図１３】
0003572564.tif 000015
【図１４】
0003572564.tif 000016
【図１５】
0003572564.tif 000017
【図１６】
0003572564.tif 000018
【図１７】
0003572564.tif 000019
【図１８】
0003572564.tif 000020
【図１９】
0003572564.tif 000021
【図２０】
0003572564.tif 000022
【図２１】
0003572564.tif 000023
【図２２】
0003572564.tif 000024